(57)【要約】      （修正有）【課題】パッケージの４辺それぞれに複数のリードが並べて１組ずつ設けられた撮像素子を用いても、リードの挿入実装が容易に行える撮像装置、撮像装置の組み立て方法を提供する。【解決手段】対向して配置された２組のリードの集合である第１のリード群（リード組１２，１３）について、第１のリード群と直交する方向において対向して配置された２組のリードの集合である第２のリード群（リード組１４，１５）よりもリードの長さを長くする。【選択図】図１
2007123331.tif 000002
【特許請求の範囲】
【請求項１】
パッケージの４辺それぞれに複数のリードが並べられて１組ずつ設けられた撮像素子を備えた撮像装置であって、
対向して配置された２組のリードの集合である第１のリード群は、前記第１のリード群と直交する方向において対向して配置された２組のリードの集合である第２のリード群よりもリードの長さが長いこと、
を特徴とする撮像装置。
【請求項２】
請求項１に記載の撮像装置において、
前記第１のリード群、及び／又は、前記第２のリード群に含まれる２組のリードは、リードの長さが異なっていること、
を特徴とする撮像装置。
【請求項３】
請求項１又は請求項２に記載の撮像装置の組み立て方法であって、
前記撮像素子の４組のリードを挿入する孔部を有した撮像素子取付部材に対して、前記第１のリード群のリードを前記第２のリード群のリードよりも先に前記孔部に挿入すること、
を特徴とする撮像装置の組み立て方法。
【請求項４】
請求項３に記載の撮像装置の組み立て方法において、
前記第１のリード群、及び／又は、前記第２のリード群の中に含まれる２組のリードの長さが異なる場合には、リードの長さの長い組を先に前記孔部に挿入すること、
を特徴とする撮像装置の組み立て方法。
【発明の詳細な説明】
【技術分野】
【０００１】
本発明は、デジタルカメラ等の撮像装置、撮像装置の組み立て方法に関するものである。
【背景技術】
【０００２】
デジタルカメラ等の撮像素子では、極数が少ない場合（例えば３４ピン程度）、パッケージを大型化させることなく、対向する２方向のみにリードを配置したＤＩＰ（dual  in-line  package）タイプとすることができる。この撮像素子をリジッド基板やフレキシブルプリント基板に実装するとき、リードが対向する２方向のみに設けられているので、リジッド基板やフレキシブルプリント基板に開口した各リードに対応した孔部に、リードを容易に挿入することができる。ＤＩＰタイプの撮像素子を使用した従来の撮像装置として、特許文献１では、電気基板に開口された挿入孔に対して、ＤＩＰタイプの撮像素子のリードを挿入している例が示されている。
【０００３】
しかし、極数が多くなった場合（例えば８０ピン程度）、パッケージを大型させることなくリードを配置するには、４方向にリードを配置する必要がある。
ここで、４方向にリードを配置した挿入実装型の撮像素子とすると、リジッド基板やフレキシブルプリント基板に実装するために、開口した各リードに対応した孔部に、４方向に配置されたリードを挿入することが困難になるという問題が生じる。
【特許文献１】特開２００５−１７５９２４号公報（図４、図６等）
【発明の開示】
【発明が解決しようとする課題】
【０００４】
本発明の課題は、パッケージの４辺それぞれに複数のリードが並べて１組ずつ設けられた撮像素子を用いても、リードの挿入実装が容易に行える撮像装置、撮像装置の組み立て方法を提供することである。
【課題を解決するための手段】
【０００５】
前記課題を解決するために、請求項１の発明は、パッケージの４辺それぞれに複数のリードが並べられて１組ずつ設けられた撮像素子を備えた撮像装置であって、対向して配置された２組のリードの集合である第１のリード群は、前記第１のリード群と直交する方向において対向して配置された２組のリードの集合である第２のリード群よりもリードの長さが長いこと、を特徴とする撮像装置である。
請求項２の発明は、請求項１に記載の撮像装置において、前記第１のリード群、及び／又は、前記第２のリード群に含まれる２組のリードは、リードの長さが異なっていること、を特徴とする撮像装置である。
請求項３の発明は、請求項１又は請求項２に記載の撮像装置の組み立て方法であって、前記撮像素子の４組のリードを挿入する孔部を有した撮像素子取付部材に対して、前記第１のリード群のリードを前記第２のリード群のリードよりも先に前記孔部に挿入すること、を特徴とする撮像装置の組み立て方法である。
請求項４の発明は、請求項３に記載の撮像装置の組み立て方法において、前記第１のリード群、及び／又は、前記第２のリード群の中に含まれる２組のリードの長さが異なる場合には、リードの長さの長い組を先に前記孔部に挿入すること、を特徴とする撮像装置の組み立て方法である。
【発明の効果】
【０００６】
本発明によれば、第１のリード群は、第１のリード群と直交する方向において対向して配置された２組のリードの集合である第２のリード群よりもリードの長さが長いので、パッケージの４辺それぞれに複数のリードが並べて１組ずつ設けられた撮像素子を用いても、リードを撮像素子取付部材の孔部に対して簡単かつ確実に挿入できる。
【発明を実施するための最良の形態】
【０００７】
本発明は、パッケージの４辺それぞれに複数のリードが並べて１組ずつ設けられた撮像素子を用いても、リードの挿入実装が容易に行えるようにするという目的を、リードの長さに差をつけることにより実現した。
【実施例】
【０００８】
図１は、本発明の撮像装置に使用される撮像素子１０の３面図である。
本実施例の撮像装置は、被写体像の静止画及び動画を撮像素子１０を用いて撮像し、記録するデジタルカメラである。
撮像素子１０は、パッケージ１１の表面に撮像面１１ａを有したＣＣＤ（Charge Coupled Devices）であり、不図示の撮影光学系により撮像面１１ａ上に結像された被写体像を電気信号に変換する。また、撮像素子１０は、リードを後述の実装基板１００に開口された開口孔組１１２，１１３，１１４，１１５に挿入して実装する挿入実装型の素子である。
パッケージ１１は、略直方体形状をしており、撮像面１１ａの周囲の４辺それぞれには、２０本のリードが並べられて１組ずつ設けられている。パッケージ１１を撮像面１１ａの法線方向から見たときに短辺となる側にリード組１２，１３が対向して設けられ、長辺となる側にリード組１４，１５が対向して設けられている。先に述べたように、撮像素子１０は、挿入実装型であるので、リード組１２〜１５のいずれも、撮像素子１０の裏面側（撮像面１１ａとは反対側）へ折り曲げられている。
本実施例の撮像素子１０は、上述のように撮像面１１ａの周囲の４辺それぞれにリードを分散して配置したことにより、パッケージサイズを大型化することなく、多極化を実現している。したがってより大量の撮像データを高速に取り扱うことが可能である。
【０００９】
リード組１２の各リードの長さは、リード組１３の各リードの長さと等しくなっている。このリード組１２及びリード組１３の２組のリードの集合を説明上、第１のリード群とする。
リード組１４の各リードの長さは、リード組１５の各リードの長さと等しくなっている。このリード組１４及びリード組１５の２組のリードの集合を説明上、第２のリード群とする。
ここで、第１のリード群は、第２のリード群よりもリードの長さが長くなっている。具体的には、図１中に示した寸法Ａだけ第１のリード群のリードの長さが第２のリード群のリードの長さよりも長くなっている。
【００１０】
次に、本実施例の撮像装置の組み立て方法について説明する。
図２は、本実施例の撮像素子１０を実装基板１００の開口孔組１１２，１１３，１１４，１１５に挿入する様子を示す斜視図である。
実装基板１００は、撮像素子１０が挿入実装される硬質基板により形成された撮像素子取付部材である。なお、実装基板１００は、硬質基板に限らず、フレキシブルプリント配線板であってもよい。実装基板１００には、撮像素子１０のリード組１２，１３，１４，１５に対応して開口孔（孔部）の集合である開口孔組１１２，１１３，１１４，１１５が設けられている。
実装基板１００に撮像素子１０を実装するためには、まず、リード組１２〜１５のすべてのリードを実装基板１００の開口孔組１１２〜１１５に挿入する必要がある。
【００１１】
ここで、本実施例の作用効果をわかりやすく説明するために、比較例を挙げる。
図３は、比較例の撮像素子２０の３面図である。
比較例の撮像素子２０は、リード組２２〜２５のすべてのリードの長さが等しくなっている点のみが、本実施例の撮像素子１０と異なるものである。
図４は、比較例の撮像素子２０を実装基板１００の開口孔組１１２，１１３，１１４，１１５に挿入する様子を示す斜視図である。
比較例の撮像素子２０のリード組２２〜２５を実装基板１０の開口孔組１１２，１１３，１１４，１１５に挿入するときには、合計８０本ものリードを略同時に位置を合わせて挿入する必要があり、これは非常に困難な作業である。そして、位置を誤って挿入しようとすると、リードを曲げてしまい、撮像素子２０を不良品としてしまうおそれがある。
【００１２】
図２に戻って、本実施例の撮像素子１０では、第１のリード群（リード組１２，１３）のリード長さが、第２のリード群（リード組１４，１５）のリード長さよりも長くなっているので、一度に位置合わせをする必要があるリードの本数が単純に考えても半分（本実施例では、４０本）になる。また、実際には、最初に位置合わせをする第１のリード群（リード組１２，１３）のうちのいずれか一方、例えば、リード組１２のみを最初に位置合わせして挿入後、リード組１３を位置合わせして挿入すれば、容易にこれら２組の挿入を完了できる。そして、これらリード組１２，１３の挿入を完了した時点で、撮像素子１０と実装基板１００との相対的な位置は、略正確に位置合わせされており、残る第２のリード群（リード組１４，１５）の挿入も容易に行える。
なお、挿入後は、実装基板１００の裏面側（撮像素子１０を載せた面とは反対側）で各リードと実装基板１００に設けられた不図示のランドとを半田付けして固定する。
【００１３】
なお、第１のリード群（リード組１２，１３）のリードの長さが第２のリード群（リード組１４，１５）のリードの長さよりも長いという条件を満たせば、第１のリード群内のリード組１２とリード組１３との長さが異なっていてもよいし、第２のリード群内のリード組１４とリード組１５との長さが異なっていてもよい。例えば、リード組１２の長さをリード組１３の長さよりも長くし、また、リード組１４の長さをリード組１５の長さよりも長くしてもよい。そしてリード長さの長い順に開口孔組１１２，１１３，１１４，１１５に挿入するとよい。なお、この場合であっても、リード組１２，１３の長さを、リード組１４，１５の長さよりも長くすることで、撮像素子１０の実装を容易に行える。
すなわち、ある対向した２組のリード組（第１のリード群）が必ず他の対向した２組のリード組（第２のリード群）よりも長くなっていれば、必ず長い側の２組（第１のリード群）が先に実装基板１００に挿入されることとなり、実装を容易に行える。
【００１４】
本実施例によれば、第１のリード群のリードの長さを第２のリード群のリードの長さよりも長くしたので、パッケージの４辺それぞれに複数のリードが並べて１組ずつ設けられた撮像素子１０であっても、この撮像素子１０の実装基板１００への挿入実装を簡単かつ確実に行うことができる。
【００１５】
（変形例）
以上説明した実施例に限定されることなく、種々の変形や変更が可能であって、それらも本発明の均等の範囲内である。
例えば、本実施例において、短辺側で対向するリード組１２，１３を第１のリード群として、他のリード群よりもその長さを長くした例を示したが、これに限らず、たとえば、長辺側で対向するリード群の長さを他のリード群よりも長くしてもよい。また、撮像面の法線方向から見た形状は、長方形に限らず、正方形であってもよい。
【００１６】
また、本実施例において、リードを４辺に均等に２０本ずつ配置した例を示したが、これに限らず、各辺に配置されるリード本数が異なっていてもよい。
【図面の簡単な説明】
【００１７】
【図１】本発明の撮像装置に使用される撮像素子１０の３面図である。
【図２】本実施例の撮像素子１０を実装基板１００の開口孔組１１２，１１３，１１４，１１５に挿入する様子を示す斜視図である。
【図３】比較例の撮像素子２０の３面図である。
【図４】比較例の撮像素子２０を実装基板１００の開口孔組１１２，１１３，１１４，１１５に挿入する様子を示す斜視図である。
【符号の説明】
【００１８】
１０：撮像素子、１１：パッケージ、１２，１３，１４，１５：リード組、１００：実装基板、１１２，１１３，１１４，１１５：開口孔組
【図１】
2007123331.tif 000003
【図２】
2007123331.tif 000004
【図３】
2007123331.tif 000005
【図４】
2007123331.tif 000006